(57)【特許請求の範囲】
【請求項１】
経糸にゴム状弾性を有する弾性経糸とゴム状弾性を有しない通常経糸とを混用し、緯糸にゴム状弾性を有しない普通糸のみを用い、上記経糸の総本数を変えることなく、細幅部分と広幅部分とを、両者間に幅が徐々に変化する移行部分を挟んで交互に形成した伸縮性テープにおいて、上記の通常経糸および緯糸が合成繊維の伸縮性捲縮加工糸からなり、上記の弾性経糸が数本の通常経糸に対し１本の割合で、かつ両耳縁を含む幅方向全域に分散して配列され、上記の緯糸が上記弾性経糸を芯経糸として該芯経糸の上口側および下口側に交互に配置され、耳側数本の通常経糸が上記の緯糸２本以上に対し交互に浮沈して経畝組織または斜子組織からなる耳部を形成し、この耳部を除く本体部では通常経糸が２群に分かれてその一方が表面を、他方が裏面をそれぞれ被覆していることを特徴とする伸縮性テープ。
【請求項２】
通常経糸として光沢を有しない合成繊維の伸縮性捲縮加工糸からなる第１通常経糸と光沢を有する合成繊維の伸縮性捲縮加工糸からなる第２通常経糸とが用いられ、第１通常経糸が耳部および本体部の双方に配列され、第２通常経糸が本体部のみに第１通常経糸の２倍の密度で配列され、本体部では表面を第２通常経糸が、また裏面を第１通常経糸がそれぞれ被覆している請求項１記載の伸縮性テープ。
【請求項３】
本体部が耳部に隣接する左右のサイド部と、左右のサイド部間に位置し本体部の幅の半分以上を占めるセンター部とからなり、第２通常経糸がサイド部では２／２の経畝織りを主体に組織し、センター部では３／１以上の経浮きの多い組織を形成し、第１通常経糸がサイド部およびセンター部の裏面全体で経朱子状組織を形成している請求項２に記載の伸縮性テープ。
【請求項４】
弾性経糸の繊度が４００〜１３００デシテックス、広幅部分の緯糸密度が細幅部分の緯糸密度の１．３〜１．５倍、広幅部分の幅が細幅部分の幅の１．３〜１．６倍、幅が変化する移行部分における全幅の変化率が移行部分の長さ１０ｍｍ当たり１．３〜１．８ｍｍである請求項１ないし３のいずれかに記載の伸縮性テープ。
【発明の詳細な説明】
【０００１】
【発明の属する技術分野】
この発明は、伸縮性テープ、特にブラジャーの肩紐用として好適な伸縮性テープに関するものである。
【０００２】
【従来の技術】
ブラジャーの肩紐として、経糸にゴム状弾性を有する弾性経糸とゴム状弾性を有しない通常経糸とを用い、緯糸にゴム状弾性を有しない通常緯糸のみを用いて幅が広い部分（広幅部分）と幅が狭い部分（細幅部分）とを、両者間に幅が徐々に変化する移行部分を挟んで交互に製織し、得られた長尺の伸縮性テープを各細幅部分の中間で切断して広幅部分と両端の細幅部分とからなる短尺の伸縮性テープを１本の肩紐とし、その一端の細幅部分をブラジャーのカップ上端に、他端の細幅部分をブラジャーの背回り部にそれぞれ接続し、中間の広幅部分を肩に当てるようにしたものが知られている（実開昭６３−１７７９２０号公報、実開昭６４−３７４０８号公報および特開平６−２７２１０３号公報参照）。
【０００３】
上記伸縮性テープの製織は、筬として筬羽間隔が上下で異なるものを用い、製織の途中で上記の筬を上下に移動し、筬羽間隔を広くしたり狭くしたりすることにより、経糸本数を変えずに行われるが、経糸に弾性経糸と通常経糸とを混用しているため、経糸張力のコントロールが難しく、そのため広幅部分および細幅部分の両者をきれいな織目に製織することができず、特に耳線に凹凸ができて直線にならず、外観が広幅部分および細幅部分の一方で良ければ他方で悪くなり、美観を重視するブラジャー用に利用できないという問題があった。
【０００４】
【発明が解決しようとする課題】
この発明は、経糸に弾性経糸と通常経糸とを混用し、緯糸に通常緯糸のみを用い、上記経糸の総本数を変えることなく、広幅部分と細幅部分とを、両者間に幅が徐々に変化する移行部分を挟んで交互に形成した伸縮性テープにおいて、耳線の不規則な凹凸を解消し、美観に優れ、ブラジャーの肩紐用として好適な伸縮性テープを提供するものである。
【０００５】
【課題を解決するための手段】
この発明に係る伸縮性テープは、経糸にゴム状弾性を有する弾性経糸とゴム状弾性を有しない通常経糸とを混用し、緯糸にゴム状弾性を有しない普通糸のみを用い、上記経糸の総本数を変えることなく、細幅部分と広幅部分とを、両者間に幅が徐々に変化する移行部分を挟んで交互に形成した伸縮性テープにおいて、上記の通常経糸および緯糸が合成繊維の伸縮性捲縮加工糸からなり、上記の弾性経糸が数本の通常経糸に対し１本の割合で、かつ両耳縁を含む幅方向全域に分散して配列され、上記の緯糸が上記弾性経糸を芯経糸として該芯経糸の上口側および下口側に交互に配置され、耳側数本の通常経糸が上記の緯糸２本以上に対し交互に浮沈して経畝組織または斜子組織からなる耳部を形成し、この耳部を除く本体部では通常経糸が２群に分かれてその一方が表面を、他方が裏面をそれぞれ被覆していることを特徴とする。
【０００６】
上記の伸縮性テープは、従来と同様に、細幅のテープ織機に筬羽間隔が上下で異なる筬を取付け、製織の途中で上記の筬を上下に移動し、筬羽間隔を広くしたり狭くしたりすることにより、製造することができる。ただし、この発明では、緯糸として合成繊維の伸縮性捲縮加工糸を用いるので、上口または下口に挿入される緯糸の長さが筬羽間隔の変化に追従して容易に調節され、左右の両耳縁に張力の大きい弾性経糸が存在することとあいまち、緯糸が耳縁で折り返される場合に耳縁の弾性経糸を過剰に締め付けたり、弛めたりすることがない。また、耳側数本の通常経糸が上記の緯糸２本以上に対し交互に浮沈して経畝組織や斜子組織からなる耳部を形成するので、上記耳縁の弾性経糸で折り返される上記の緯糸が上記耳側数本の通常経糸で締め付けられ、耳縁の位置が固定される。したがって、伸縮性テープの耳線が細幅部分、広幅部分および移行部分のすべてにおいて、きれいな直線状に形成される。
【０００７】
また、弾性経糸１本に対し合成繊維の伸縮性捲縮加工糸からなる数本の通常経糸が配列され、この通常経糸が耳部を除く本体部において２群に分かれ、一方が表面を、他方が裏面をそれぞれ被覆するので、製織時の張力調製と緯糸密度等の設定により、所望の伸縮性が容易に得られ、しかもソフトな風合いが得られ、ブラジャーの肩紐用として広幅部分が人体の肩に当たるように設計することにより、肩紐の滑落を防ぐことが容易になる。なお、経糸密度を緯糸密度に比べて大きく設定することにより、幅方向の伸縮性を実質的に無くすることができる。
【０００８】
上記のとおり、この発明では、伸縮性捲縮加工糸からなる通常経糸のうち、耳部を除く本体部に配置された通常経糸が２群に分けられ、その一方が表面を被覆し、他方が裏面を被覆するが、上記の通常経糸として、光沢を有しない伸縮性捲縮加工糸からなる第１通常経糸と、光沢を有する伸縮性捲縮加工糸からなる第２通常経糸とを用い、第１通常経糸を耳部および本体部の双方に配列し、第２通常経糸を本体部のみに第１通常経糸の２倍の密度で配列し、本体部では表面を第２通常経糸で、また裏面を第１通常経糸でそれぞれ被覆することが好ましく、この場合は、表面組織が緻密になって崩れ難くなり、かつ光沢を有するために意匠性が向上する一方、裏面組織が一層ソフトになり肌触りが良好になる。
【０００９】
上記の本体部を構成する表裏の組織は任意であるが、この本体部を耳部に隣接する左右のサイド部と、左右のサイド部間に位置するセンター部とで構成し、このセンター部の幅を本体部の幅の半分以上とし、サイド部は表面被覆用の第２通常経糸で２／２の経畝織りを主体に組織して緯方向の畝を形成し、センター部は上記の表面被覆用第２通常経糸で３／１以上の経浮きの多い組織、例えば３／１、４／１、５／１等の朱子、綾またはその変化組織を形成することが好ましく、これによって前記耳部との張力バランスを良好に保ちながら意匠性を一層高めることができる。
【００１０】
ここで、耳部およびサイド部を構成する経糸の本数すなわち耳部およびサイド部の幅は、耳縁の弾性経糸および緯糸の張力がバランスして耳線が直線に形成されるように適宜に設定することができる。したがって、上記の耳部およびサイド部の幅は、左右を一致させる必要はなく、特にニードル織機のように耳縁の弾性経糸に加わる緯糸張力が左右で異なる場合は、緯糸張力の大きい側すなわち挿入側の幅を広く、小さい側すなわち綴じ編み側の幅を狭く設定して耳形状をバランスさせることが好ましい。
【００１１】
また、上記本体部の裏面組織は、サイド部およびセンター部の裏面全体を第１通常経糸で被覆するように、裏面からみて経朱子状の組織とすることが好ましく、この場合は裏面の肌触りが一層ソフトに形成される。なお、上記のサイド部およびセンター部では、表面を被覆する第２通常経糸の浮き長さを部分的に変更して柄模様を形成し、意匠性を一層高めることができる。
【００１２】
この発明で使用する弾性経糸は、ゴム状の伸縮弾性を有するものであり、ポリエステル系またはポリエーテル系のスパンデックス繊維が例示される。このゴム状弾性糸は、裸のフィラメント糸の形または通常の繊維、好ましくはナイロンやポリエステルの捲縮糸で一重または二重に被覆したカバリング糸の形のいずれでも使用できるが、裸で使用した場合は、加工の工数が少なくなり、かつ地組織を薄く、伸度を大きくでき、カバリング糸の形で使用した場合は、ゴム状弾性糸が露出しないため外観が良好で、かつ表面の摩擦係数が増大してスリップし難くなる点で好ましい。
【００１３】
また、この発明で用いる通常経糸および緯糸は、前記のとおり伸縮性捲縮加工糸であり、好ましくはナイロンやポリエステルのマルチフィラメント糸に仮撚加工を施して得られる。そして、通常経糸のうち第１通常経糸、すなわち光沢を有しない伸縮性捲縮加工糸は、比較的伸縮性に富むタイプで、伸度４０％以上の糸が好ましく、第２通常経糸すなわち光沢を有する伸縮性捲縮加工糸は、比較的伸縮性の少ないタイプで、伸度２０％以下の糸が好ましい。また、緯糸は、光沢を有せず、伸度が中程度のタイプで、伸度１０〜３０％の糸が好ましい。
【００１４】
上記の弾性経糸、通常経糸および緯糸の繊度、テープにおける細幅部分および広幅部分の幅と長さ、移行部分の長さ、経糸および緯糸の密度等は、目的に応じて適宜に設定されるが、ブラジャーの肩紐用の場合、上記弾性経糸の繊度は４００〜１３００デシテックス（以下、単に「Ｔ」と記す）が好ましく、４００Ｔ未満では張力が弱く、緯糸の張力で耳線に凹凸が生じ易く、製織が困難になり、反対に１３００Ｔを超えると、製織が容易になる反面、外観が低下する。
【００１５】
上記細幅部分の経糸密度は１２０〜１４０本／ｃｍが好ましく、１１０本／ｃｍ以下では、製品表面に目割れが生じて外観が低下し、かつ製品の腰が弱くなり、反対に１５０本／ｃｍ以上では、製織時の開口運動が困難になり、製品に糸浮き等の欠点が発生する。また、上記細幅部分の幅は任意であるが、ブラジャーの肩紐用の場合は、１０〜１８ｍｍが好ましく、９ｍｍ以下では弾性経糸に太いものが必要になって外観が低下し、１９ｍｍ以上では野暮な外観となる。そして、広幅部分の幅は、細幅部分の幅の１．４〜１．６倍が好ましく、１．３倍以下では広幅部分を設けた効果が得られず、反対に１．７倍以上では、幅の違いによる製品のバランス調整が困難になり、耳線が乱れて意匠性が悪くなる。
【００１６】
また、細幅部分の緯糸密度は１９〜２３本／ｃｍが好ましく、１８本／ｃｍ以下では粗過ぎて肩紐用として締まりが不足し、反対に２４本／ｃｍ以上では、伸びが押さえられ、機能が低下する。そして、広幅部分の緯糸密度は、細幅部分の緯糸密度の１．３〜１．５倍が好ましく、１．２倍以下では広幅部分が伸び易くなり、反対に１．６倍以上では広幅部分が伸び難くなり、いずれも好ましくない。また、幅が変化する移行部分における全幅の変化率は、移行部分の長さ１０ｍｍ当たりで１．４〜１．７ｍｍが好ましく、１ｍｍ以下では、移行部分の長さが長くなって広幅部分または細幅部分の長さが不足し、反対に２ｍｍ以上では耳線が乱れ易くなって意匠性が悪くなる。
【００１７】
【発明の実施の形態】
実施形態１
図１において、１０はブラジャーの肩紐用伸縮性テープであり、細幅部分１０ａ、移行部分１０ｂおよび広幅部分１０ｃからなり、細幅部分１０ａおよび広幅部分１０ｃの間に直線状に幅の変化する移行部分１０ｂが介在することにより、伸縮性テープ１０の耳線に段差や凹凸が生じないようになっている。そして、上記の伸縮性テープ１０は、上記の細幅部分１０ａ、移行部分１０ｂおよび広幅部分１０ｃの繰返しからなり、その繰返しの単位長さＬがブラジャーのデザインに応じて例えば２５〜４５ｃｍまたは９０〜１１０ｃｍ等に、また細幅部分１０ａの幅が１０〜１８ｍｍに設定される。
【００１８】
上記の伸縮性テープ１０は、図２に示すように、左右の耳部１１、この耳部１１に隣接する左右のサイド部１２および幅方向中央に位置するセンター部１３からなり、左右の耳部１１を除く部分、すなわち左右のサイド部１２およびセンター部１３が本体部を構成し、この本体部の幅の約５０〜７０％を上記のセンター部１３が占めるように作られる。上記の耳部１１、サイド部１２およびセンター部１３の各織り組織が図３に例示される。
【００１９】
図３において、（ａ）は耳部１１の組織図、（ｂ）はサイド部１２の組織図、（ｃ）はセンター部１３の組織図をそれぞれ示す。そして、斜線を付した経糸１４は、スパンデックス繊維フィラメントを芯糸とし、光沢を有しない合成繊維の伸縮性捲縮加工糸で被覆してなる弾性経糸である。また、×印を付した経糸１５は、光沢を有しない合成繊維の伸縮性捲縮加工糸からなる第１通常経糸である。また、○印を付した経糸１６は、光沢を有する合成繊維の伸縮性捲縮加工糸からなる第２通常経糸である。また、無印の緯糸１７は、光沢を有しない合成繊維の伸縮性捲縮加工糸からなる通常の緯糸である。
【００２０】
図３（ａ）に示す耳部１１では、耳縁に弾性経糸１４が配され、緯糸１７と１本交互に浮沈を繰返して耳線を形成し、その内側に数本、図示の例では７本の第１通常経糸１５が配され、緯糸１７と２／２の経畝組織に織られて緯方向の畝を形成する。
【００２１】
図３（ｂ）に示すサイド部１２は、前記耳部１１の右端に続くもので、左端から前記の光沢を有しない第１通常経糸１５の１本、光沢を有する第２通常経糸１６の２本が順に配列される。続いて、１本の弾性経糸１４、１本の第２通常経糸１６、１本の第１通常経糸１５、２本の第２通常経糸１６、１本の第１通常経糸１５および１本の第２通常経糸１６が順に配列され、以下この合計７本の経糸１４、１５、１６が繰返し配列される。そして、光沢を有する第２通常経糸１６が２／２の経畝組織または該経畝組織に小さい柄を配した組織に織られて表面を覆い、かつ緯方向の畝模様を形成し、光沢を有しない第１通常経糸１５は、左端のみで１／３の緯浮き組織となる以外は、残りの全域で１／７の緯朱子状に織られ、裏面からみて７／１の経朱子状に経浮きの多い組織を形成して裏面を被覆する。
【００２２】
また、図３（ｃ）に示センター部１３では、左から１本の弾性経糸、１本の第２通常経糸１６、１本の第１通常経糸１５、２本の第２通常経糸１６、１本の第１通常経糸１５および１本の第２通常経糸１６が順に配列され、以下この合計７本の経糸１４、１５、１６が繰返し配列される。そして、光沢を有する第２通常経糸１６が３／１の綾織り状に織られて表面を被覆し、かつ斜線模様を形成し、光沢を有しない第１通常経糸１５が前記サイド部１２と同様に１／７の緯朱子状に織られ、裏面からみて７／１の経朱子状に経浮きの多い組織を形成して裏面を被覆する。
【００２３】
上記伸縮性テープ１０の縦断面が図４に示される。図４（ａ）は、サイド部１２の縦断面図であり、直線状に横たわる弾性経糸１４の上口側および下口側に緯糸１７が１本ずつ交互に配置され、これらの緯糸１７が第１通常経糸１５および第２通常経糸１６と交互に組織し、第２通常経糸１６が表面に緯畝を形成して表面を被覆する一方、第１通常経糸１５が裏面に朱子状に長く浮いて裏面を被覆する。なお、上記の図４（ａ）において、裏面に長く浮く第１通常経糸１５を省略し、上記の第２通常経糸１６に代えて第１通常経糸１５を用い、この第１通常経糸１５で緯畝を形成した形態が前記耳部１１の縦断面図となる。
【００２４】
図４（ｂ）は、前記センター部１３の縦断面図であり、サイド部１２と同様に、直線状に横たわる弾性経糸１４の上口側および下口側に緯糸１７が１本ずつ交互に配置され、これらの緯糸１７が第１通常経糸１５および第２通常経糸１６と交互に組織し、第２通常経糸１６が表面に経綾状に長く浮いて表面を被覆する一方、第１通常経糸１５が前記サイド部１２と同様に裏面に朱子状に長く浮いて裏面を被覆する。
【００２５】
上記の伸縮性テープ１０は、弾性経糸１４としてスパンデックスフィラメント（繊度４００〜１３００Ｔ、伸度が約６倍）を光沢を有しない伸縮性捲縮加工糸で二重にカバリングしてなるカバリング糸を用い、第１通常経糸１５として光沢を有しない伸縮性捲縮加工糸（伸度２０％以下）を用い、第２通常経糸１６として光沢を有する伸縮性捲縮加工糸（伸度４０％以上）を用い、また緯糸１７として光沢を有しない伸縮性捲縮加工糸（伸度２０％以下）を用い、シャットル織機やニードル織機等で製織される。
【００２６】
製織に際しては、前記のように、筬として筬羽間隔が上下で異なるものを用い、製織の途中で上記の筬を上下に移動して筬羽間隔を広げたり狭めたりしながら、筬羽間隔の広い部分では緯糸密度を小さく、また筬羽間隔の狭い部分では緯糸密度を大きく設定する。なお、筬羽間隔が中間の部分では緯糸密度を中間に設定する。また、弾性経糸１４、第１通常経糸１５および第２通常経糸１６には、上記緯糸密度との兼ね合いで伸縮性テープ１０の伸度が約５０％となるように適当な張力を与える。
【００２７】
ブラジャーの肩紐を目的とする場合、上記の伸縮性テープ１０における細幅部分１０ａの幅は１０〜１８ｍｍに設定され、広幅部分１０ｃの幅は細幅部分１０ａの１．４〜１．６倍に設定される。また、経密度は、細幅部分１０ａが１２０〜１４０本／ｃｍに設定される。また、移行部分１０ｂにおける幅の変化率は、移行部分１０ｂの長さ１０ｍｍ当たり１．４〜１．７ｍｍに設定される。
【００２８】
織上げ後の伸縮性テープ１０は、染色その他の仕上げ処理を行って製品とされ、通常は細幅部分１０ａの中間で切断され、図１に示すように、広幅部分１０ｃの両端に移行部分１０ｂを介して細幅部分１０ａが存在する形態で使用される。この場合、一方の細幅部分１０ａの切断端から他方の細幅部分１０ａの切断端までの長さＬは、ブラジャーに対する取付け方によって種々に設定さる。
【００２９】
例えば、上記の長さＬを比較的短く２５〜４０ｃｍに設定した場合は、その２本を１組として１個のブラジャーに用い、一端の細幅部分１０ａをブラジャーのカップ上端に、他端の細幅部分１０ａをブラジャーの背回り部にそれぞれ略直角に交差するように接続することができる。
【００３０】
また、上記の長さＬを比較的長く９０〜１００ｃｍに設定し、その１本を広幅部分１０ｃの中間で切断し、一端に細幅部分１０ａを、他端に広幅部分１０ｃを有する２本の肩紐１０Ａ（図５参照）とし、その２本を１組として１個のブラジャー２０に用い、一端の広幅部分１０ｃをブラジャー２０のカップ２１の上端に接続し、他端の細幅部分１０ａを同じ側の背回り部２２の上縁に沿って接続して背回り部２２の縁布を兼ねさせることができる。
【００３１】
【実施例】
弾性経糸１４（図３参照）としてスパンデックス繊維糸（９４０Ｔ）にナイロンマルチフィラメント糸の巻縮加工糸（ダル、５６Ｔ）を二重に巻き付けたカバリング弾性糸を、第１通常経糸１５としてナイロンマルチフィラメント糸の伸縮性巻縮加工糸（ダル、７８／２Ｔ、伸度７０％）を、第２通常経糸１６としてナイロンマルチフィラメント糸の伸縮性巻縮加工糸（異形ブライト、７８／２Ｔ、伸度５％）を、また緯糸１７としてナイロンマルチフィラメント糸の伸縮性巻縮加工糸（ダル、１５５Ｔ、伸度１３％）をそれぞれ用意した。
【００３２】
上記の弾性経糸１４を２９本、第１通常経糸１５を６５本、第２通常経糸１６を１０８本それぞれ用意し、左側耳部１１に１本の弾性経糸１４と７本の第１通常経糸１５を、また右側耳部１１に１本の弾性経糸１４と４本の第１通常経糸１５をそれぞれ配列した。また、左側サイド部１２に５本の弾性経糸１４、１１本の第１通常経糸１５および２１本の第２通常経糸１６を、また右側サイド部１２に５本の弾性経糸１４、１１本の第１通常経糸１５および２１本の第２通常経糸１６をそれぞれ配列した。また、センター部１３に１７本の弾性経糸１４、３３本の第１通常経糸１５および６７本の第２通常経糸１６をそれぞれ配置した。そして、ニードル織機を用い、左側から緯糸を挿入し、右側で綴じ編みを行い、図３の組織を織成しながら、筬の上下運動により織り幅を変動させ、かつテープ巻取速度の変更により緯糸密度を切替えた。
【００３３】
上記の織成後、染色および仕上げ加工を施して製品化した。得られた伸縮性テープ１０は、細幅部分１０ａの幅が１６ｍｍ、長さが３２ｃｍ、緯糸密度が２１本／ｃｍ、広幅部分１０ｃの幅が２２ｍｍ、長さが６０ｃｍ、緯糸密度が２８本／ｃｍ、移行部分１０ｂの長さが４ｃｍ、繰返し単位長さが１００ｃｍであり、細幅部分１０ａ、移行部分１０ｂおよび広幅部分１０ｃの全体にわたって組織の乱れがなく、ほぼ図２の外観を呈し、耳線がきれいな直線状に形成されていて意匠性にも優れ、また伸度は、細幅部分１０ａおよび広幅部分１０ｃが両者とも人手による引張りで約１．５倍であり、ブラジャーの肩紐用として好適であった。
【００３４】
上記の伸縮性テープ１０を細幅部分１０ａおよび広幅部分の各中間で切断し、長さ１６ｃｍの細幅部分１０ａ、長さ４ｃｍの移行部分１０ｂおよび長さ３０ｃｍの広幅部分１０ｃからなる全長５０ｃｍの肩紐とし、両端を適当に切断して全長を４５ｃｍ、４７ｃｍ等に調整し、これを図５のブラジャー２０の肩紐に用いたところ、肩に加わる荷重が軽くなり、かつ肌触りがソフトで、しかも滑り難く、また外観が良好であり、実用性に優れていた。
【００３５】
【発明の効果】
上記のとおり、この発明に係る伸縮性テープは、広幅部分と細幅部分とを交互に有しながら、耳線に不規則な凹凸がなく、美観に優れ、かつ肌触りがソフトであってブラジャーの肩紐用として好適である。特に請求項２に係る発明は、意匠性が向上し、裏面組織がソフトになり、肌触りが良好になる。また、請求項３に係る発明は、耳部と本体部の張力バランスを良好に保ちながら意匠性を一層高めることができる。また、請求項４に係る発明は、広幅部分および細幅部分の両者を更にバランスよく、美しい外観に仕上げることができる。
【図面の簡単な説明】
【図１】実施例の平面図である。
【図２】図１の要部の拡大図である。
【図３】実施例の組織図である。
【図４】実施例の断面図である。
【図５】実施例の使用例を示すブラジャーの背面図である。
【符号の説明】
１０：伸縮性テープ、１０Ａ：肩紐
１０ａ：細幅部分、１０ｂ：移行部分：１０ｃ：広幅部分
１１：耳部、１２：サイド部、１３：センター部
１４：弾性経糸、１５：第１通常経糸、１６：第２通常経糸、１７：緯糸
２０：ブラジャー
２１：カップ
２２：背回り部
【図１】
0003631231.tif 000002
【図２】
0003631231.tif 000003
【図３】
0003631231.tif 000004
【図４】
0003631231.tif 000005
【図５】
0003631231.tif 000006